(57)【特許請求の範囲】
【請求項１】
油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する工法において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、このモニター（１１）にノズルを設けた噴射部（１８，１９）を上下に設け、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記駆動装置（２）を作動して、上記ロッド本体（１０）を地盤中に給進させ、設定深さまで達したら最上端のロッド本体（１０）には、上記多重管スイベル（９）を連結して上記主支持装置（７）に組付けるとともに、内管（１３ｂ）を上記副支持装置（８）に連結し、そして、上記駆動装置（２）を作動させて高圧ポンプによりエアーとともに地盤改良用媒体を供給し、油圧シリンダを作動して多重管ロッド（３）を順次引き上げるとともに、上記主支持装置（７）に設けられた油圧モータ（１４）と、上記副支持装置（８）に設けられた油圧モータ（１５）を互いに逆方向に回転させ、上下の噴射部（１８，１９）から高圧ポンプによりエアーとともに地盤改良用媒体を地盤中に噴射させて地盤を改良することを特徴とする噴射攪拌工法。
【請求項２】
油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する装置において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記主支持装置（７）には、多重管スイベル（９）の外管（１３ａ）および仕切管（１３ｃ）を回転駆動する油圧モータ（１４）を設け、上記副支持装置（８）には多重管スイベル（９）の内管（１３ｂ）を回転駆動する油圧モータ（１５）を設けるとともに、上記モニター（１１）を、外管（１７ａ）と、内管（１７ｂ）と、外管（１７ａ）と内管（１７ｂ）を中間位置まで仕切る仕切管（１７ｃ）とで構成し、上記モニター（１１）に、それぞれ互いに反対の向きに一対のノズルを設けた噴射部（１８，１９）を上下に設け、上部側の噴射部（１８）のノズル（２０，２１）を、上記仕切管（１７ｃ）と内管（１７ｂ）によって形成された通路（２４Ａ）に連通し、下部側の噴射部（１９）のノズル（２２，２３）を、上記内管（１７ｂ）内の通路（２４Ｂ）に連通し、これら噴射部（１８，１９）に連結された管ロッドを互いに回転自在に構成するとともに、これら上下の噴射部（１８，１９）を互いに逆方向に回転させる駆動部を設け、上記上下の噴射部（１８，１９）を互いに逆方向に回転させながら上記通路（２４Ａ，２４Ｂ）に、それぞれ上記油圧ポンプによって多重管スイベル（９）および複数本のロッド本体（１０）内を通して圧送される地盤改良用媒体を、外管（１７ａ）と仕切管（１７ｃ）との間の通路（２４Ｃ）を通して供給されるエアーとともに一対のノズル（２０，２１）および（２２，２３）から地盤中に噴射させることを特徴とする噴射攪拌装置。
【請求項３】
上記スイベル本体（１２）と、ロッド本体（１０）と、モニター（１２）とを、外管（１３ａ，１６ａ，１７ａ）と、外管（１３ａ，１６ａ，１７ａ）に対して回転自在に取り付けられる内管（１３ｂ，１６ｂ，１７ｂ）と、外管（１３ａ，１６ａ，１７ａ）と内管（１３ｂ，１６ｂ，１７ｂ）を仕切る仕切管（１３ｃ，１６ｃ，１７ｃ）とで構成し、外管（１３ａ，１６ａ，１７ａ）相互はネジにより連結し、内管（１３ｂ，１６ｂ，１７ｂ）相互は六角ジョイント部を介して連結したことを特徴とする請求項２に記載の噴射攪拌装置。
【発明の詳細な説明】
【０００１】
【発明の属する技術分野】
本発明は、軟弱地盤の改良を行う噴射攪拌工法および噴射攪拌装置に関する。
【０００２】
【従来の技術】
一般に、建設、土木工事では、対象地盤が軟弱な場合、本工事に先立って地盤の改良が行われる。地盤の改良としては、対象地盤を硬化させる地盤硬化材を地盤に含浸させるのが通常である。
【０００３】
このような地盤の改良には、ボーリングマシンと呼ばれる噴射攪拌装置が用いられている。一般に、ボーリングマシンは、図１０に示すようにスピンドルを昇降および回転させるボーリングマシン本体２００と、ボーリングマシン本体２００のスピンドルに支持された多重管ロッド２０１と、ミキサー２０２およびアジテータ２０３で混合された地盤硬化材を高圧で圧送する高圧ポンプ２０４と、高圧ポンプ２０４を駆動する油圧ユニット２０５と、高圧ポンプ２０４から圧送される地盤硬化材に空気を混入させるコンプレッサー２０６と、ポンプによりミキサー２０２に水を供給する水タンク２０７とで構成されている。
【０００４】
ボーリングマシン本体２００は、多重管ロッド２０１を回転させながら引き上げるとともに多重管ロッド２０１の最下端に設けられた噴射ノズルから地盤硬化材と空気の混合物を高圧で噴射するものである。
こうして、対象地盤中に、地盤と硬化材の柱状撹拌部を形成し、地盤硬化材の硬化によってパイル状の固形物を造成している。このとき、地盤硬化材と置換した土壌の一部が泥水として空気と共に外部に排出される。
【０００５】
【発明が解決しようとする課題】
しかしながら、多重管ロッド２０１は、一方向にのみ回転するため、噴射ノズルから噴射される地盤硬化材は、総て一定の方向に向かって噴射されることになる。このため、地盤によっては充分な撹拌が行われない場合、あるいは充分な距離に地盤硬化材が達しない虞がある。
【０００６】
本発明は上記課題を解決し、地盤の撹拌が充分に行われ、かつ充分な距離まで地盤硬化材を噴射することができる噴射攪拌工法および噴射攪拌装置を提供することを目的とする。
【０００７】
【課題を解決するための手段】
本発明は上記課題を解決するため、油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する工法において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、このモニター（１１）にノズルを設けた噴射部（１８，１９）を上下に設け、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記駆動装置（２）を作動して、上記ロッド本体（１０）を地盤中に給進させ、設定深さまで達したら最上端のロッド本体（１０）には、上記多重管スイベル（９）を連結して上記主支持装置（７）に組付けるとともに、内管（１３ｂ）を上記副支持装置（８）に連結し、そして、上記駆動装置（２）を作動させて高圧ポンプによりエアーとともに地盤改良用媒体を供給し、油圧シリンダを作動して多重管ロッド（３）を順次引き上げるとともに、上記主支持装置（７）に設けられた油圧モータ（１４）と、上記副支持装置（８）に設けられた油圧モータ（１５）を互いに逆方向に回転させ、上下の噴射部（１８，１９）から高圧ポンプによりエアーとともに地盤改良用媒体を地盤中に噴射させて地盤を改良することにある。
また、本発明は、油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する装置において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記主支持装置（７）には、多重管スイベル（９）の外管（１３ａ）および仕切管（１３ｃ）を回転駆動する油圧モータ（１４）を設け、上記副支持装置（８）には多重管スイベル（９）の内管（１３ｂ）を回転駆動する油圧モータ（１５）を設けるとともに、上記モニター（１１）を、外管（１７ａ）と、内管（１７ｂ）と、外管（１７ａ）と内管（１７ｂ）を中間位置まで仕切る仕切管（１７ｃ）とで構成し、上記モニター（１１）に、それぞれ互いに反対の向きに一対のノズルを設けた噴射部（１８，１９）を上下に設け、上部側の噴射部（１８）のノズル（２０，２１）を、上記仕切管（１７ｃ）と内管（１７ｂ）によって形成された通路（２４Ａ）に連通し、下部側の噴射部（１９）のノズル（２２，２３）を、上記内管（１７ｂ）内の通路（２４Ｂ）に連通し、これら噴射部（１８，１９）に連結された管ロッドを互いに回転自在に構成するとともに、これら上下の噴射部（１８，１９）を互いに逆方向に回転させる駆動部を設け、上記上下の噴射部（１８，１９）を互いに逆方向に回転させながら上記通路（２４Ａ，２４Ｂ）に、それぞれ上記油圧ポンプによって多重管スイベル（９）および複数本のロッド本体（１０）内を通して圧送される地盤改良用媒体を、外管（１７ａ）と仕切管（１７ｃ）との間の通路（２４Ｃ）を通して供給されるエアーとともに一対のノズル（２０，２１）および（２２，２３）から地盤中に噴射させることにある。
さらに、本発明は、上記スイベル本体（１２）と、ロッド本体（１０）と、モニター（１２）とを、外管（１３ａ，１６ａ，１７ａ）と、外管（１３ａ，１６ａ，１７ａ）に対して回転自在に取り付けられる内管（１３ｂ，１６ｂ，１７ｂ）と、外管（１３ａ，１６ａ，１７ａ）と内管（１３ｂ，１６ｂ，１７ｂ）を仕切る仕切管（１３ｃ，１６ｃ，１７ｃ）とで構成し、外管（１３ａ，１６ａ，１７ａ）相互はネジにより連結し、内管（１３ｂ，１６ｂ，１７ｂ）相互は六角ジョイント部を介して連結したことにある。
【０００８】
【発明の実施の形態】
以下本発明の実施の形態を図面を参照しながら詳細に説明する。
図１および図２は、本発明の噴射攪拌工法に用いる噴射攪拌装置、いわゆるボーリングマシンの構造を示したものである。
図１および図２において、１はボーリングマシン本体で、油圧ポンプを内蔵した駆動装置２と、多重管ロッド３を昇降させる給進装置４とで構成されている。
給進装置４は、支柱５に支持された多重管ロッド支持装置６と、この多重管ロッド支持装置６を昇降させる昇降シリンダ（図示せず）とで構成されている。
【０００９】
多重管ロッド支持装置６は、多重管ロッド３を支持するもので、主支持装置７と、副支持装置８で構成されている。
多重管ロッド３は、上端に多重管スイベル９（図３および図４参照），その下に複数本のロッド本体１０（図５（ａ）（ｂ）参照），最下端にモニター１１（図６および図７参照）を装着したもので、多重管スイベル９を介して主支持装置７に取り付けられている。
多重管スイベル９は、図３および図４に示すように、主支持装置７に取り付けられるスイベル本体１２と、スイベル本体１２に回転自在に取り付けられた外管１３ａと、外管１３ａに対して回転自在に取り付けられた内管１３ｂと、外管１３ａと内管１３ｂを仕切る仕切管１３ｃとで構成されている。
主支持装置７には、多重管スイベル９の外管１３ａおよび仕切管１３ｃを回転駆動する油圧モータ１４が設けられ、副支持装置８には多重管スイベル９の内管１３ｂを回転駆動する油圧モータ１５が設けられている。
【００１０】
ロッド本体１０は、図５（ａ）（ｂ）に示すように、外管１６ａと、内管１６ｂと、外管１６ａと内管１６ｂを仕切る仕切管１６ｃとで構成されている。ロッド本体１０は、外管１６ａ相互はネジにより互いに結合され、内管１６ｂ相互は、それぞれ上下に設けられた六角ジョイント部を介して互いに結合されて、複数本が接続されている。また、最上端のロッド本体１０は、上記多重管スイベル９に連結され、最下端のロッド本体１０は、モニター１１に、それぞれネジまたは六角ジョイント部を介して連結されている。
【００１１】
モニター１１は、図６および図７に示すように、外管１７ａと、内管１７ｂと、外管１７ａと内管１７ｂを中間位置まで仕切る仕切管１７ｃとで構成されている。このモニター１１の下端部には、２つの噴射部（ノズルボディ）１８，１９が上下に設けられている。これらの噴射部１８，１９には、図８および図９に示すように、互いに反対の向きに一対のノズル２０，２１および２２，２３が設けられている。上部側の噴射部１８のノズル２０，２１は、上記仕切管１７ｃと内管１７ｂによって形成された通路２４Ａに連通しており、下部側の噴射部１９のノズル２２，２３は、上記内管１７ｂ内の通路２４Ｂに連通している。上記通路２４Ａ，２４Ｂには、それぞれ油圧ポンプによって多重管スイベル９および複数本のロッド本体１０内を通して圧送される地盤改良用媒体が供給され、一対のノズル２０，２１および２２，２３を通して噴射されるものである。外管１７ａと仕切管１７ｃとの間の通路２４Ｃには、エアーが供給されており、このエアーとともに地盤改良用媒体がノズル２０，２１および２２，２３から噴射されるものである。噴射部１９の下部側には、逆止弁２５を設けたサブ２６が設けられ、その下端にはメタルクラウン２７が設けられている。上記内管１７ｂの下端にはボール弁２８が設けられている。
【００１２】
このモニター１１の動作を説明すると、給進時は、ボール弁２８を外しておき、駆動装置２を作動し高圧水を供給しながら地盤中に多重管ロッド３を給進させると、逆止弁２５が開いて最下端から高圧水が噴射されて削孔が行われる。削孔が終わると、ボール弁２８を投下してバルブシート部に位置させて最下端からの空気の抜けを防止する。
【００１３】
次に本発明の噴射撹拌工法を説明する。
まず、最下端のロッド本体１０にモニター１１を連結して、ロッド本体１０を複数本連結して主支持装置７に組み付け、順次、駆動装置２を作動して給進させる。主支持装置７は、油圧シリンダによって昇降し、所定の深さまで、給進させていく。
そして、設定深さまで達したら、最上端のロッド本体１０には、多重管スイベル９を連結して、主支持装置７に組み付けるとともに、内管１３ｂを副支持装置８に連結する。
【００１４】
そして、駆動装置２を作動させて高圧ポンプによりエアーとともに地盤改良用媒体を供給する。一方、油圧シリンダを作動して、多重管ロッド３を順次、引き上げる。このとき、主支持装置７に設けられた油圧モータ１４と、副支持装置８に設けられた油圧モータ１５を互いに逆方向に回転させる。これによって、多重管スイベル９の外管１３ａおよび仕切管１３ｃの回転方向と、多重管スイベル９の内管１３ｂの回転方向が逆回転となり、この回転がロッド本体１０を介してモニター１１に伝わる。
モニター１１は、外管１７ａおよび仕切管１７ｃの回転方向と、内管１７ｂの回転方向が互いに逆方向に回転するので、２つの噴射部１８，１９が互いに逆方向に回転する。
【００１５】
そして、２つの噴射部１８，１９には、高圧ポンプによってエアーとともに地盤改良用媒体が供給されているので、２つの噴射部１８，１９のノズル２０，２１および２２，２３から地盤改良用媒体がそれぞれ噴射される。噴射部１８のノズル２０，２１と、噴射部１９のノズル２２，２３は互いに逆方向に回転しながら地盤中に地盤改良用媒体を噴射し、土壌を撹拌しながら地盤改良用媒体を地盤に含浸させる。こうして、噴射部１８のノズル２０，２１と、噴射部１９のノズル２２，２３は互いに逆方向に回転しながら地盤改良用媒体を噴射するので、地盤を効率よく撹拌して、隙間なく地盤改良用媒体を地盤に含浸させることができる。
【００１６】
なお、本発明は上記実施の形態のみに限定されるものではなく、例えば、上記実施の形態では、多重管ロッド３として三重管ロッドを使用したが、二重管ロッドを用いても良く、また、主支持装置７に設けられた油圧モータ１４と、副支持装置８に設けられた油圧モータ１５は、電動モータでも良い。等、その他、本発明の要旨を変更しない範囲内で適宜変更して実施し得ることは言うまでもない。
【００１７】
【発明の効果】
以上述べたように、本発明による噴射攪拌工法および噴射攪拌装置によれば次のような効果を奏することができる。
請求項１において、油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する工法において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、このモニター（１１）にノズルを設けた噴射部（１８，１９）を上下に設け、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記駆動装置（２）を作動して、上記ロッド本体（１０）を地盤中に給進させ、設定深さまで達したら最上端のロッド本体（１０）には、上記多重管スイベル（９）を連結して上記主支持装置（７）に組付けるとともに、内管（１３ｂ）を上記副支持装置（８）に連結し、そして、上記駆動装置（２）を作動させて高圧ポンプによりエアーとともに地盤改良用媒体を供給し、油圧シリンダを作動して多重管ロッド（３）を順次引き上げるとともに、上記主支持装置（７）に設けられた油圧モータ（１４）と、上記副支持装置（８）に設けられた油圧モータ（１５）を互いに逆方向に回転させ、上下の噴射部（１８，１９）から高圧ポンプによりエアーとともに地盤改良用媒体を地盤中に噴射させて地盤を改良するので、地盤を効率よく撹拌して隙間なく地盤改良用媒体を地盤に含浸させることができる。
請求項２において、油圧ポンプを内蔵した駆動装置（２）と、同心状に構成された多重管ロッド（３）を昇降させる給進装置（４）を備え、該給進装置（４）を、支柱（５）に支持された多重管ロッド支持装置（６）と、この多重管ロッド支持装置（６）を昇降させる昇降シリンダとで構成し、上記多重管ロッド（３）を地盤中に給進させ、該地盤中から該多重管ロッド（３）を引き上げながら回転させると共に、該多重管ロッド（３）に設けられた噴射ノズルから高圧で地盤改良用媒体を地盤中に噴射させて地盤を攪拌し、地盤を改良する装置において、上記多重管ロッド支持装置（６）を、上記多重管ロッド（３）の外管側を支持する主支持装置（７）と、内管側を支持する副支持装置（８）で構成し、上記多重管ロッド（３）を、主支持装置（７）に取り付けられる多重管スイベル（９）と、その下に設けられた複数本のロッド本体（１０）と、最下端に設けられたモニター（１１）とで構成し、上記多重管スイベル（９）を上記主支持装置（７）に取り付けられるスイベル本体（１２）と、スイベル本体（１２）に回転自在に取り付けられる外管（１３ａ）と、外管（１３ａ）に対して回転自在に取り付けられる内管（１３ｂ）と、外管（１３ａ）と内管（１３ｂ）を仕切る仕切管（１３ｃ）とで構成し、上記主支持装置（７）には、多重管スイベル（９）の外管（１３ａ）および仕切管（１３ｃ）を回転駆動する油圧モータ（１４）を設け、上記副支持装置（８）には多重管スイベル（９）の内管（１３ｂ）を回転駆動する油圧モータ（１５）を設けるとともに、上記モニター（１１）を、外管（１７ａ）と、内管（１７ｂ）と、外管（１７ａ）と内管（１７ｂ）を中間位置まで仕切る仕切管（１７ｃ）とで構成し、上記モニター（１１）に、それぞれ互いに反対の向きに一対のノズルを設けた噴射部（１８，１９）を上下に設け、上部側の噴射部（１８）のノズル（２０，２１）を、上記仕切管（１７ｃ）と内管（１７ｂ）によって形成された通路（２４Ａ）に連通し、下部側の噴射部（１９）のノズル（２２，２３）を、上記内管（１７ｂ）内の通路（２４Ｂ）に連通し、これら噴射部（１８，１９）に連結された管ロッドを互いに回転自在に構成するとともに、これら上下の噴射部（１８，１９）を互いに逆方向に回転させる駆動部を設け、上記上下の噴射部（１８，１９）を互いに逆方向に回転させながら上記通路（２４Ａ，２４Ｂ）に、それぞれ上記油圧ポンプによって多重管スイベル（９）および複数本のロッド本体（１０）内を通して圧送される地盤改良用媒体を、外管（１７ａ）と仕切管（１７ｃ）との間の通路（２４Ｃ）を通して供給されるエアーとともに一対のノズル（２０，２１）および（２２，２３）から地盤中に噴射させるので、地盤を効率よく撹拌して隙間なく地盤改良用媒体を地盤に含浸させることができる。請求頃３において、上記スイベル本体（１２）と、ロッド本体（１０）と、モニター（１２）とを、外管（１３ａ，１６ａ，１７ａ）と、外管（１３ａ，１６ａ，１７ａ）に対して回転自在に取り付けられる内管（１３ｂ，１６ｂ，１７ｂ）と、外管（１３ａ，１６ａ，１７ａ）と内管（１３ｂ，１６ｂ，１７ｂ）を仕切る仕切管（１３ｃ，１６ｃ，１７ｃ）とで構成し、外管（１３ａ，１６ａ，１７ａ）相互はネジにより連結し、内管（１３ｂ，１６ｂ，１７ｂ）相互は六角ジョイント部を介して連結したので、外管（１３ａ，１６ａ，１７ａ）および内管（１３ｂ，１６ｂ，１７ｂ）を確実に連結することができる。
【図面の簡単な説明】
【図１】本発明による噴射攪拌装置の実施の形態を示す概念図である。
【図２】図１のボーリングマシン本体を示す概念図である。
【図３】図１の多重管ロッドの多重管スイベルを示す正面図である。
【図４】図３の縦断面図である。
【図５】（ａ）は、図１の多重管ロッドのロッド本体を示す縦断面図、（ｂ）は（ａ）のＡ−Ａ線断面図である。
【図６】図１の多重管ロッドのモニターを示す正面図である。を示す断面図である。
【図７】図１の多重管ロッドのモニターを示す縦断面図である。
【図８】図６のＢ−Ｂ線断面図である。
【図９】図６のＣ−Ｃ線断面図である。
【図１０】従来の噴射攪拌装置の一例を示す概念図である。
【符号の説明】
１    ボーリングマシン本体
２    駆動装置
３    多重管ロッド
４    給進装置
５    支柱
６    多重管ロッド支持装置
７    主支持装置
８    副支持装置
９    多重管スイベル
１０    ロッド本体
１１    モニター
１２    スイベル本体
１８，１９    噴射部
２０，２１、２２，２３    ノズル
１７ａ    外管
１７ｂ    内管
１７ｃ    仕切管
【図１】
0003677764.tif 000002
【図２】
0003677764.tif 000003
【図３】
0003677764.tif 000004
【図４】
0003677764.tif 000005
【図５】
0003677764.tif 000006
【図６】
0003677764.tif 000007
【図７】
0003677764.tif 000008
【図８】
0003677764.tif 000009
【図９】
0003677764.tif 000010
【図１０】
0003677764.tif 000011